(57)【要約】【課題】ハンズフリーによる通話または音声認識を高品位の音質で良好に行うことのできる電子機器を提供する。【解決手段】電力により駆動されるディスクドライブ５０、冷却ファン５４を有するとともに、マイクロフォン４０を内蔵したナビゲーション装置１０において、マイクロフォン４０により音声を電気信号に変換する際、スイッチ５２、５６を制御して、電源１４からディスクドライブ５０、冷却ファン５４への給電を停止させる制御を行う制御手段１６を備える。【選択図】図１
2011234206.tif 000002
【特許請求の範囲】
【請求項１】
電力により駆動される動作部を有するとともに、マイクロフォンを内蔵した電子機器において、
前記マイクロフォンを使用する場合、前記動作部への給電を停止させる制御を行う制御手段を備えることを特徴とする電子機器。
【請求項２】
電力により駆動される動作部を有するとともに、マイクロフォンを内蔵した電子機器において、
前記マイクロフォンを使用する場合、前記動作部による回転の回転速度を低減させる制御を行う制御手段を備えることを特徴とする電子機器。
【請求項３】
電力により駆動される動作部を有するとともに、マイクロフォンを内蔵した電子機器において、
前記マイクロフォンを使用する場合、前記動作部への電力を低減させる制御を行う制御手段を備えることを特徴とする電子機器。
【請求項４】
前記動作部は、記憶媒体に記憶された情報を取得するためのディスクドライブであることを特徴とする請求項１又は２に記載の電子機器。
【請求項５】
前記動作部は、前記電子機器内を冷却するための冷却ファンであることを特徴とする請求項１〜３の何れかに記載の電子機器。
【請求項６】
前記電子機器の温度を検出する温度センサを備え、前記制御手段は、前記温度センサにより検出された温度が所定温度以上になったとき、前記冷却ファンを所定の状態で駆動させることを特徴とする請求項５に記載の電子機器。
【請求項７】
前記マイクロフォンは、音声を電気信号に変換し、
前記マイクロフォンにより変換された前記電気信号を携帯電話機に送信し、前記携帯電話機から音声にかかる電気信号を受信する送受信手段を備えることを特徴とする請求項１〜６の何れかに記載の電子機器。
【請求項８】
前記電子機器は、入力手段を備え、
前記マイクロフォンを使用する場合とは、前記入力手段を用いて前記マイクロフォンを使用する旨の選択がなされた場合であることを特徴とする請求項１〜７の何れかに記載の電子機器。
【発明の詳細な説明】
【技術分野】
【０００１】
本発明は、電子機器に関し、特に、電力により駆動される動作部を有するとともに、マイクロフォンを内蔵した電子機器に関する。
【背景技術】
【０００２】
例えば、自動車の走行中において、携帯電話機を通常の状態で使用することは、注意力が散漫になるため、法律によって禁止されている。そこで、携帯電話機を手に持つことなく、マイクロフォンとスピーカを用いて拡声通話を行う、いわゆる、ハンズフリー通話機能を搭載した携帯電話機が開発されている。しかしながら、携帯電話機は、携帯に適するように小型化されているため、マイクロフォンやスピーカの性能には限界があり、高品質なハンズフリー通話が実現できないという問題がある。
【０００３】
前記の音質の問題を解決するため、例えば、特許文献１（特開２００６−２５４１４８号公報）には、車両用ナビゲーション装置と携帯電話機とを専用の接続手順によって接続し、携帯電話機を外部との送受信端末とする一方、ナビゲーション装置に内蔵されたマイクロフォンおよびスピーカを用いてハンズフリー通話を行うようにしたナビゲーション装置が開示されている。
【０００４】
また、ハンズフリー機能の他の形態として、特許文献２（特開２００９−８６１３２号公報）には、ユーザの音声指示に従って各種処理を行うことのできる音声認識機能を搭載したナビゲーション装置が開示されている。このナビゲーション装置では、ユーザの音声以外の音がノイズとしてナビゲーション装置に入力されることを回避するため、ユーザの音声情報を予め登録しておき、当該ユーザの音声のみを認識して所望の処理を実行するように構成している。このナビゲーション装置によれば、ユーザは、タッチパネル等に触れることなく、自動車を走行させながら、ハンズフリーの状態でナビゲーション装置を操作することができる。
【０００５】
一方、音楽再生機能を搭載した携帯電話機に関して、特許文献３（特開２００１−３３３１６１号公報）には、ステレオヘッドフォンマイクによる音楽再生中に着信があったとき、音楽の再生を一時中止させ、ステレオヘッドフォンマイクを用いた良好な状態での通話に切り替えるようにした携帯端末が開示されている。
【先行技術文献】
【特許文献】
【０００６】
【特許文献１】特開２００６−２５４１４８号公報（段落［００１５］、［００１６］、図２）
【特許文献２】特開２００９−８６１３２号公報（段落［００３２］、［００３３］）
【特許文献３】特開２００１−３３３１６１号公報（段落［００４４］）
【発明の概要】
【発明が解決しようとする課題】
【０００７】
ところで、マイクロフォンをナビゲーション装置に内蔵させることにより、車両内の他の場所に設置されたマイクロフォンとナビゲーション装置とを配線する場合に比較して、設置工数の削減や取り付け処理の簡略化が可能である。
【０００８】
また、最近のナビゲーション装置は、ユーザに地図情報を提供したり、目的地までの経路案内を行うだけでなく、ＣＤドライブを駆動して音楽を再生し、または、ＤＶＤドライブやＨＤドライブを駆動して映像を再生する、といった多機能化が進んでいる。
【０００９】
このようなナビゲーション装置は、ＣＤドライブ、ＤＶＤドライブ、ＨＤドライブ、ＣＤ等を出し入れするためのドア開閉機構等の動作部を備えているため、これらの動作部の駆動音、または、駆動に伴って発生する振動音が、ナビゲーション装置に内蔵されているマイクロフォンに入力されると、ノイズになってしまう。同様に、ナビゲーション装置には、装置内の発熱部品、例えば、駆動部やＣＰＵ等を冷却するための冷却ファンが搭載されており、この冷却ファンの駆動音、または、駆動に伴って発生する振動音もノイズとしてマイクロフォンに入力されてしまう。
【００１０】
この場合、特許文献１のように、ナビゲーション装置に携帯電話機を接続して使用するときには、ナビゲーション装置からのノイズが外部に送信されてしまうため、通話音の音質が低下してしまう。また、特許文献２に開示された先行技術の場合、ユーザの音声とノイズとを分離するため、ユーザの音声を事前に登録しておかなければならない。従って、その作業が非常に煩わしい。さらに、特許文献３の場合には、通話時に音楽が中止されるだけであり、ＣＤドライブやＨＤドライブの動作まで停止させている訳ではない。従って、ドライブの発熱を抑えるために冷却ファンも回転しており、これらの駆動音や振動音がノイズとしてマイクロフォンに入力されてしまう。
【００１１】
本発明は、上記の問題点を解消することを課題とするものであり、電力により駆動される動作部を有し、マイクロフォンを内蔵した電子機器において、ハンズフリーによる通話または音声認識を高品位の音質で良好に行うことのできる電子機器を提供することを目的とするものである。
【課題を解決するための手段】
【００１２】
前記課題を解決するために、本願の請求項１にかかる発明は、電力により駆動される動作部を有するとともに、マイクロフォンを内蔵した電子機器において、前記マイクロフォンを使用する場合、前記動作部への給電を停止させる制御を行う制御手段を備えることを特徴とする。
【００１３】
本願の請求項２にかかる発明は、電力により駆動される動作部を有するとともに、マイクロフォンを内蔵した電子機器において、前記マイクロフォンを使用する場合、前記動作部による回転の回転速度を低減させる制御を行う制御手段を備えることを特徴とする。
【００１４】
本願の請求項３にかかる発明は、電力により駆動される動作部を有するとともに、マイクロフォンを内蔵した電子機器において、前記マイクロフォンを使用する場合、前記動作部への電力を低減させる制御を行う制御手段を備えることを特徴とする。
【００１５】
本願の請求項４にかかる発明は、請求項１又は２に記載の電子機器において、前記動作部は、記憶媒体に記憶された情報を取得するためのディスクドライブであることを特徴とする。
【００１６】
本願の請求項５にかかる発明は、請求項１〜３のいずれか１項に記載の電子機器において、前記動作部は、前記電子機器内を冷却するための冷却ファンであることを特徴とする。
【００１７】
本願の請求項６にかかる発明は、請求項５に記載の電子機器において、前記電子機器の温度を検出する温度センサを備え、前記制御手段は、前記温度センサにより検出された温度が所定温度以上になったとき、前記冷却ファンを所定の状態で駆動させることを特徴とする。
【００１８】
本願の請求項７にかかる発明は、請求項１〜６のいずれか１項に記載の電子機器において、前記マイクロフォンは、音声を電気信号に変換し、前記マイクロフォンにより変換された前記電気信号を携帯電話機に送信し、前記携帯電話機から音声にかかる電気信号を受信する送受信手段を備えることを特徴とする。
【００１９】
本願の請求項８にかかる発明は、請求項１〜７のいずれか１項に記載の電子機器において、前記電子機器は、入力手段を備え、前記マイクロフォンを使用する場合とは、前記入力手段を用いて前記マイクロフォンを使用する旨の選択がなされた場合であることを特徴とする。
【発明の効果】
【００２０】
本願発明では、電子機器に内蔵されたマイクロフォンを使用するとき、動作部への給電を停止させ、動作部による回転の回転速度を低減させ、又は、動作部への電力を低減させて、動作部によるノイズの発生を低減するため、電子機器を用いて、ハンズフリーによる通話または音声認識処理を行う際に高品位の音質で良好に行うことができる。
【図面の簡単な説明】
【００２１】
【図１】本発明の実施例におけるナビゲーション装置の構成ブロック図である。
【図２】本発明の実施例におけるナビゲーション装置の処理フローチャートである。
【図３】本発明の実施例において、携帯電話機に着信があった場合の処理フローチャートである。
【図４】本発明の実施例において、ナビゲーション装置から発信の指示があった場合の処理フローチャートである。
【発明を実施するための形態】
【００２２】
以下、本発明の具体例を実施例及び図面を用いて詳細に説明する。但し、以下に示す実施形態は、本発明の技術的思想を具体化するための電子機器を例示するものであって、本発明をこの電子機器に特定することを意図するものではなく、特許請求の範囲に含まれるその他の実施形態の電子機器にも等しく適応し得るものである。
【実施例】
【００２３】
図１は、本発明の一実施例であるナビゲーション装置１０の構成を示すブロック図である。以下、本発明を、ナビゲーション装置１０を例に説明するが、本発明はナビゲーション装置に限らず、電力により駆動される動作部を有するとともに、マイクロフォンを内蔵した電子機器に適用することができる。
【００２４】
ナビゲーション装置１０は、車両に搭載され、経路案内や、音楽または映像の視聴を行う機能を備えるとともに、ユーザが所持する携帯電話機１２と連携し、ハンズフリー通話を行う機能を備える。また、ナビゲーション装置１０は、ユーザの音声に基づき、所望の処理を実行する音声認識機能も備える。
【００２５】
ナビゲーション装置１０は、車両の電源１４から供給される電力によって動作するものであり、制御手段１６を備えている。制御手段１６は、ＣＰＵ１８、ＲＯＭ２０、ＲＡＭ２２からなるプロセッサで構成され、ＲＯＭ２０、ＲＡＭ２２に記録された制御プログラムに従ってナビゲーション装置１０の各部の動作を制御する。
【００２６】
現在位置検出手段２４は、地球上空を周回している複数のＧＰＳ衛星から時刻情報及び位置情報を含む電波を受信するＧＰＳ受信機等で構成される。３個以上のＧＰＳ衛星からの電波を受信して処理することにより、ナビゲーション装置１０の現在位置を算出することができる。なお、現在位置検出手段２４は、車両が備える距離センサ、方位センサ、舵角センサ等からなる自立航法装置とすることもできる。
【００２７】
地図記憶手段２６は、地図情報を含む各種情報を記憶するものであり、例えば、ハードディスク（ＨＤ）等の記憶手段である。地図情報には、道路の分岐点をノードとするノードデータ、それぞれのノード間を結ぶ経路をリンクとしたリンクデータ、地形図データが含まれる。
【００２８】
ノードデータには、ノード番号、位置座標、接続リンク本数、分岐点名称、ノードが設定される場所の名称等が含まれる他、分岐点から所定距離だけ離れた案内地点において、右左折、直進等の経路案内を行う経路案内データ及び案内地点の位置座標が記憶されている。リンクデータには、始点及び終点となるノード番号、道路種別（歩行者優先通路、自転車兼用道路等）、ノード間の距離情報であるリンク長（リンクコスト）、所要時間等が含まれる。また、リンクデータには、リンク属性として橋、トンネル、踏切、料金所等のデータが付与される。地形図データには、海岸線、湖沼、河川形状などの水系データ、行政境界データ、駐車場をはじめとする施設位置、施設形状、施設名称を含む施設データからなる背景データが含まれる。
【００２９】
経路探索手段２８は、地図記憶手段２６に記憶されている地図情報を参照し、現在位置、または、ユーザによって指定された出発地から目的地に至る最適な案内経路を探索するものである。なお、案内経路の探索は、現在位置又は出発地に対応するノードから目的地に対応するノードに至るリンクと、ノードとをダイクストラ法等の各種の手法によって探索し、リンク長（リンクコスト）や所要時間等を累積し、総リンク長（移動距離）又は総所要時間等が最短となる経路を案内経路とし、当該経路に属するノードやリンクを案内経路データとして提供するものである。
【００３０】
通信手段３０は、アンテナ３２を介して、ユーザの携帯電話機１２とナビゲーション装置１０との間で、ペアリングのための認証コード情報の送受信や、着信の有無を含む通話情報の送受信を行う送受信手段であり、例えば、ブルートゥースモジュール（「ブルートゥース」は登録商標）により構成される。なお、アンテナ３２は、ナビゲーション装置１０に内蔵される形態、または、ナビゲーション装置１０の外部に配置される形態のいずれであってもよい。
【００３１】
ＤＳＰ（Digital Signal Processor）３４は、制御手段１６からの通話指示または音声認識指示に従い、デジタル音声データをリアルタイムに処理するものである。ＤＳＰ３４は、通話指示があった場合、通信手段３０との間で音声信号の送受信を行う。
【００３２】
ＤＳＰ３４には、Ａ／Ｄコンバータ３６およびアンプ３８を介して、ナビゲーション装置１０に内蔵されたマイクロフォン４０が接続される。なお、マイクロフォン４０をナビゲーション装置１０に内蔵させることにより、車両内の他の場所に設置されたマイクロフォン４０とナビゲーション装置１０とを配線する場合に比較して、設置工数の削減や取り付け処理の簡略化を達成することができる。また、ＤＳＰ３４には、Ｄ／Ａコンバータ４２、音量調整のための音声スイッチ４４およびアンプ４６を介して、スピーカ４８が接続される。スピーカ４８は、ナビゲーション装置１０に内蔵されていてもよく、また、ナビゲーション装置１０の外部に配置されていてもよい。また、スピーカ４８に代えて、イヤホンとしてもよい。
【００３３】
ディスクドライブ５０は、ナビゲーション装置１０において、ＣＤを回転させて音楽を再生し、ＤＶＤを回転させて映像を再生し、または、地図記憶手段２６であるＨＤを回転させて地図情報を取得する動作部である。ディスクドライブ５０は、制御手段１６によって制御されるスイッチ５２を介して電源１４に接続される。なお、ディスクドライブ５０は、ＣＤやＤＶＤを出し入れするためのドア開閉機構等の動作部を備える。
【００３４】
冷却ファン５４は、冷却ファン５４に設けられた羽を回転させることで、ナビゲーション装置１０内の発熱部品、例えば、ＣＰＵ１８、ＤＳＰ３４、アンプ３８、４６、ディスクドライブ５０等を冷却する動作部であり、制御手段１６によって制御されるスイッチ５６を介して電源１４に接続される。
【００３５】
なお、ディスクドライブ５０および冷却ファン５４は、スイッチ５２およびスイッチ５６だけでなく定電圧に変圧する変圧器（図示せず）を介して電源１４に接続されてもよい。
【００３６】
入力手段５８は、ナビゲーション装置１０において、経路探索のための出発地や目的地を設定し、ＣＤやＤＶＤから視聴したい音楽や映像を選択し、または、ナビゲーション装置１０に内蔵されているマイクロフォン４０を用いて音声認識処理を行うためのモードを選択するための各種キー、タッチパネル、リモートコントローラ等から構成される。また、入力手段５８を用いてハンズフリー通話を行うための発信操作、または、着信に対する応答操作が行われる。
【００３７】
なお、発信操作とは、例えば、電話番号を入力し、または、ＲＡＭ２２などに記憶され
ている電話番号帳から特定の個人などを選択し、さらに、表示手段６０に表示された受話キーを押下する、或いは、リモートコントローラに配置された受話キーを押し下げる操作である。
【００３８】
また、着信に対する応答操作とは、携帯電話機１２から着信があった際に、表示手段６０に表示される受話キーを押下する、或いは、リモートコントローラに配置された受話キーを押し下げる操作である。着信に対する応答操作を行うことで、ハンズフリー通話が開始される。
【００３９】
表示手段６０は、地図画像や探索された案内経路を表示し、視聴する音楽等を選択するための選択画像を表示し、ＤＶＤに記憶された映像等を表示し、または、ハンズフリー通話を行う際の電話番号等を表示するものであり、例えば、液晶ディスプレイにより構成することができる。
【００４０】
温度センサ６２は、ナビゲーション装置１０の温度を検出する。制御手段１６は、検出された温度が所定温度以上になったとき、スイッチ５６をＯＮにして、冷却ファン５４を駆動させる制御を行う。なお、温度センサ６２は、ナビゲーション装置１０の内部空間の温度を検出してもよく、また、ＣＰＵ１８、ＤＳＰ３４、アンプ３８、４６、ディスクドライブ５０等の発熱部品の温度を直接検出してもよい。なお、検出された温度が所定温度以上でなくても、スイッチ５６をＯＮにして、冷却ファン５４を駆動させてもよい。
【００４１】
本実施例にかかるナビゲーション装置１０においては、マイクロフォン４０を使用する場合に、スイッチ５６をＯＦＦにして冷却ファン５４への給電を停止する。同様にしてスイッチ５２をＯＦＦにしてディスクドライブ５０への給電を停止する。これにより内蔵されたマイクロフォン４０のノイズの発生源となる動作部が停止するため、ハンズフリーによる通話などマイクロフォン４０を使用する際の音声品質を良好にすることができる。
【００４２】
ここで、マイクロフォン４０を使用する場合とは、入力手段５８を用いてマイクロフォン４０を使用する旨の選択がなされた場合が含まれる。具体的には、入力手段５８を用いて音声認識処理を行うためのモードを選択した場合、入力手段５８を用いてハンズフリー通話を行うための発信操作や着信への応答操作が行われた場合などである。
【００４３】
また、マイクロフォン４０を使用する場合は、入力手段５８を用いてマイクロフォン４０を使用する旨の選択がなされた場合だけでなく、携帯電話機１２からの着信があった場合（着信に対する応答操作でなく後述する着信信号を受信した場合）や、携帯電話機１２を介した発信に対して発信先相手が着信応答操作した場合など、入力手段５８を用いて選択された場合以外でもマイクロフォン４０を使用する場合に含まれることが好ましい。
【００４４】
さらに、ユーザが携帯電話機１２で所定の操作を行い、マイクロフォン４０を使用する旨の情報を送信し、制御手段１６が通信手段３０を介してマイクロフォン４０を使用する旨の情報を受信した場合もマイクロフォン４０を使用する場合に含まれることが好ましい。
【００４５】
次に、図２に示す処理フローチャートに基づき、本実施例のナビゲーション装置１０の動作を説明する。
【００４６】
車両に乗車しているユーザが入力手段５８を用いてナビゲーション装置１０をＯＮにすると（ステップＳ１０１）、制御手段１６は、スイッチ５２、５６をＯＮとし、電源１４からの電力によりディスクドライブ５０及び冷却ファン５４を駆動させる（ステップＳ１０２）。この場合、制御手段１６は、温度センサ６２により検出した温度に従って冷却ファン５４の回転を制御することにより、ナビゲーション装置１０内の発熱部品の温度を所定の範囲内に調整する。
【００４７】
次に、ユーザは、ナビゲーション装置１０を用いて、所望の音楽や映像を視聴し、または、所望の目的地までの経路探索を行う（ステップＳ１０３）。
【００４８】
例えば、所望の音楽を聴く場合、ユーザは、ディスクドライブ５０にＣＤ等を挿入した後、入力手段５８を用いて、表示手段６０に表示された楽曲情報等から所望の楽曲を選択する。制御手段１６は、ＣＤ等から選択された楽曲にかかる音楽データをＤ／Ａコンバータ４２に転送する。Ｄ／Ａコンバータ４２は、転送されたデジタル信号としての音楽データをアナログ信号に変換する。変換されたアナログ信号は、音声スイッチ４４によって所定のボリュームに調整された後、アンプ４６で増幅され、スピーカ４８から出力される。また、所望の映像を視聴する場合には、ＤＶＤ等から読み出された映像にかかるデジタル信号が表示手段６０に転送されて表示されるとともに、音声や音楽がスピーカ４８から出力される。
【００４９】
また、経路探索を行う場合、ユーザは、入力手段５８を用いて、出発地や目的地を入力する。経路探索手段２８は、現在位置検出手段２４により検出した現在位置、または、ユーザが設定した出発地から目的地までの案内経路を探索する。案内経路は、地図記憶手段２６に記憶されているノードデータおよびリンクデータに基づき、例えば、目的地までの所要時間が最も短い経路、または、目的地までの距離が最も短い経路として探索することができる。探索された案内経路は、表示手段６０に表示される。ユーザは、表示された案内経路に従って、目的地まで移動することができる。
【００５０】
一方、マイクロフォン４０が使用される場合、具体的には、入力手段５８を用いて、音声認識処理を行うためのモードが選択され、または、携帯電話機１２からの着信に対して応答操作を行い携帯電話機１２と連携したハンズフリー通話が開始されると（ステップＳ１０４、ＹＥＳ）、制御手段１６は、スイッチ５２、５６をＯＦＦとし、ナビゲーション装置１０の動作部であるディスクドライブ５０および冷却ファン５４への給電を停止し、それらの動作を停止させる（ステップＳ１０５）。また、制御手段１６は、Ａ／Ｄコンバータ３６、アンプ３８およびマイクロフォン４０に電力を供給し、マイクロフォン４０からの音声入力を受付可能な状態とする。なお、マイクロフォン４０を使用する場合にのみ、マイクロフォン４０を音声入力受付可能とすることにより、消費電力を節約できるとともに、無駄な発熱を抑えることができる。
【００５１】
なお、制御手段１６は、ディスクドライブ５０への給電を停止する前に、ディスクドライブ５０が再生しているＣＤ，ＤＶＤ等の再生位置を取得し、ＲＡＭ２２などに記憶させておくことで、次回、スイッチ５２をＯＮにした際に、当該再生位置からの再生を指示することが可能である。
【００５２】
音声認識処理を行うためのモードが選択され、ユーザがマイクロフォン４０を介して音声による指示を行うと、その音声は、マイクロフォン４０によって電気信号に変換され、アンプ３８、Ａ／Ｄコンバータ３６、ＤＳＰ３４を介して制御手段１６に送信される。制御手段１６は、送信された音声信号の指示内容を音声認識プログラムによって解析し、その指示内容に従った処理を行う。なお、音声による指示内容としては、例えば、楽曲や映像の選択、ボリュームの調整、経路案内のための目的地の指示等を挙げることができる。また、音声信号の指示内容を音声認識プログラムによって解析する処理をＤＳＰ３４が行ってもよく、その場合は、解析した指示内容を制御手段１６に送信する。
【００５３】
音声認識処理を行うためのモードが選択されたとき、ナビゲーション装置１０のディスクドライブ５０および冷却ファン５４は、停止状態とされるため（ステップＳ１０５）、これらの動作部から駆動音や駆動に伴う振動音が発生することがなく、制御手段１６は、ユーザが指示する音声のみに基づいてその指示内容を解析することができる。従って、指示内容を誤認識して誤った処理を行ってしまうおそれはない。
【００５４】
次に、ハンズフリー通話を行う場合につき、図３および図４に示す処理フローチャートに基づいて説明する。
【００５５】
先ず、図３の処理フローチャートに基づき、携帯電話機１２と連携してナビゲーション装置１０で着信処理を行う場合について説明する。
【００５６】
ナビゲーション装置１０を用いたハンズフリー通話に先立ち、予め、携帯電話機１２の認証処理を行っておく（ステップＳ２０１）。例えば、ナビゲーション装置１０の通信手段３０がブルートゥースモジュールである場合、携帯電話機１２を探索可能状態に設定し、ナビゲーション装置１０から探索操作を行う。探索の結果、探索可能状態にある周囲のブルートゥース機器の一覧が表示手段６０に表示されると、その中から所望の携帯電話機１２を入力手段５８を用いて指定し、ナビゲーション装置１０および携帯電話機１２の双方に認証コードを設定する。この結果、所望の携帯電話機１２がナビゲーション装置１０に認証される。
【００５７】
携帯電話機１２がナビゲーション装置１０に認証された後、携帯電話機１２に着信があると（ステップＳ２０２、ＹＥＳ）、着信信号がアンテナ３２を介して通信手段３０に送信される（ステップＳ２０３）。着信信号を受信した通信手段３０は、制御手段１６に着信信号を通知し（ステップＳ２０４）、制御手段１６は、表示手段６０に着信があった旨を表示する（ステップＳ２０５）。また、制御手段１６は、必要に応じて、Ｄ／Ａコンバータ４２、音声スイッチ４４およびアンプ４６を介して、着信音をスピーカ４８から出力する。なお、表示手段６０に着信表示をせず、着信音のみをユーザに報知してもよい。
【００５８】
表示手段６０の着信表示および／またはスピーカ４８からの着信音に応じて、ユーザが入力手段５８を用いて着信に対する応答操作を行う、例えば、受話キーを押し下げる等の操作を行うと（ステップＳ２０６、ＹＥＳ）、制御手段１６は、ＤＳＰ３４及び通信手段３０に対して通話を指示する（ステップＳ２０７）。そして、ナビゲーション装置１０を用いたハンズフリー通話が開始される（ステップＳ２０８）。
【００５９】
ナビゲーション装置１０の通信手段３０は、携帯電話機１２から送信された音声信号を受信し、ＤＳＰ３４に転送する。ＤＳＰ３４は、音声信号をＤ／Ａコンバータ４２に転送する。Ｄ／Ａコンバータ４２は、デジタル信号である音声信号をアナログ信号に変換し、そのアナログ信号を音声スイッチ４４により所望のボリュームに調整する。調整されたアナログ信号である音声信号は、アンプ４６によって増幅された後、スピーカ４８から音声として出力される。また、ユーザは、ナビゲーション装置１０に内蔵されたマイクロフォン４０を用いて応答する。マイクロフォン４０は、ユーザの声を電気信号に変換する。変換された電気信号は、アンプ３８によって増幅された後、Ａ／Ｄコンバータ３６によりデジタル信号に変換され、ＤＳＰ３４から通信手段３０を介して携帯電話機１２に送信される。携帯電話機１２は、ナビゲーション装置１０から送信されたユーザの応答信号である音声信号を外部に送信する。
【００６０】
ここで、ナビゲーション装置１０を用いたハンズフリー通話が開始されると、制御手段１６は、スイッチ５２、５６をＯＦＦとし、ナビゲーション装置１０の動作部であるディスクドライブ５０および冷却ファン５４への給電を停止し、それらの動作を停止させる（図２、ステップＳ１０５）。従って、これらの動作部から駆動音や駆動に伴う振動音が発生しないため、ナビゲーション装置１０に内蔵されたマイクロフォン４０からユーザの音声以外のノイズが携帯電話機１２に送信される事態を回避することができる。この結果、極めて高品位な音質で通話を行うことができる。
【００６１】
次に、図４の処理フローチャートに基づき、携帯電話機１２と連携してナビゲーション装置１０で発信処理を行う場合について説明する。なお、ナビゲーション装置１０による携帯電話機１２の認証処理は、事前に完了しているものとする。
【００６２】
ユーザが入力手段５８を用いてハンズフリー通話のための発信操作を行う、例えば、電話番号を入力して、受話キーを押し下げる等の操作を行うと（ステップＳ３０１、ＹＥＳ）、制御手段１６は、ＤＳＰ３４及び通信手段３０に対して通話を指示する（ステップＳ３０２）。そして、携帯電話機１２を介した発信に対して発信先相手が受話器キーを押し下げる等の着信応答操作がなされると、ナビゲーション装置１０を用いたハンズフリー通話が開始される（ステップＳ３０３）。以下、図３の着信処理の場合と同様にして、ナビゲーション装置１０に内蔵されたマイクロフォン４０およびスピーカ４８を用いた通話が行われる。この場合、ナビゲーション装置１０の動作部は、停止状態とされているため（ステップＳ１０５）、ノイズのない極めて高品位な音質で通話を行うことができる。
【００６３】
一方、図２のフローチャートにおいて、ナビゲーション装置１０に組み込まれている温度センサ６２は、ナビゲーション装置１０内の温度を検出し、検出温度を制御手段１６に供給している。制御手段１６は、検出温度を所定の温度と比較し、検出温度が所定温度以上になったとき（ステップＳ１０６、ＹＥＳ）、スイッチ５６をＯＮとし、冷却ファン５４を駆動させ、ナビゲーション装置１０内の発熱部品の冷却を開始する（ステップＳ１０７）。
【００６４】
この際に、マイクロフォン４０を使用中である場合、例えば、音声認識処理中（音声認識処理を行うためのモードが選択された状態）またはハンズフリー通話中であれば、冷却ファン５４が駆動することによるノイズがマイクロフォン４０に入力されるおそれがあるが、ナビゲーション装置１０の誤動作や故障の発生を回避することを優先させる。
【００６５】
なお、マイクロフォン４０を使用中において、冷却ファン５４を駆動するか否かを判定するための所定温度は、マイクロフォン４０を使用していない場合における所定温度をθ１（例えば、３５℃）として、ナビゲーション装置１０に不具合が生じない範囲で、所定温度θ１よりも高い所定温度θ２（例えば、７０℃）に設定するとよい。これにより、ナビゲーション装置１０の動作に不具合が生じることなく、可能な範囲でマイクロフォン４０へのノイズの混入を回避することができる。なお、高い所定温度θ２でも不具合が生じるおそれが低い理由は、ディスクドライブ５０への給電を停止しているため、発熱が生じにくくなるので、急激な温度上昇が起こる可能性が低いためである。
【００６６】
入力手段５８を用いて音声認識処理を行うためのモードの解除またはハンズフリー通話が終了すると（ステップＳ１０８、ＹＥＳ）、ナビゲーション装置１０の電源がＯＦＦとされない限り（ステップＳ１０９、ＮＯ）、制御手段１６は、スイッチ５２、５６をＯＮとし、再び冷却ファン５４を駆動させるとともに、ディスクドライブ５０を駆動させる。この場合、マイクロフォン４０を使用しないため、マイクロフォン４０への給電を停止させることにより、消費電力を節約できるとともに、無駄な発熱を抑えることができる。
【００６７】
なお、ステップＳ１０８において、入力手段５８を用いて音声認識処理を行うためのモードの解除またはハンズフリー通話が終了しない場合（ステップＳ１０８、ＮＯ）、ステップＳ１０６へ戻るが、ステップＳ１０６において、検出温度が所定温度以上でないとき（ステップＳ１０６、ＮＯ）、制御手段１６は、ナビゲーション装置１０の動作部であるディスクドライブ５０および冷却ファン５４への給電を停止し、それらの動作を停止させて、ステップＳ１０８へ進んでもよい。すなわち、ステップＳ１０７において、ナビゲーション装置１０の誤動作や故障の発生を回避するために冷却ファン５４を駆動させた場合において、その後、ナビゲーション装置１０の温度が下がった場合は、再度、冷却ファン５４の動作を停止させてもよい。
【００６８】
なお、本発明は、上述した実施例に限定されるものではなく、本発明の要旨を逸脱しない範囲で変更することが可能である。
【００６９】
例えば、マイクロフォン４０を使用する場合（音声認識機能モードが選択された、または、ハンズフリー通話が開始されたとき）、ステップＳ１０５において冷却ファン５４への給電を停止するようにしているが、冷却ファン５４への電力を低減させ（例えば、電圧を１０Ｖから５Ｖに低減させ）、冷却ファン５４を停止させることなく、回転速度を低下させるようにしてもよい。この場合、冷却ファン５４から発生するノイズが低減するため、良好な音声認識処理またはハンズフリー通話を行うことが可能となる。
【００７０】
この電力（電圧）の低減は、例えば、１０Ｖに変圧する変圧器と、５Ｖに変圧する変圧器の２つの変圧器を備え、さらに、この２つの変圧器のどちらかと冷却ファン５４とが接続されるように切り替えるスイッチを備えることで可能である。なお、変圧器は冷却ファン５４と電源１４との間に配置される。
【００７１】
すなわち、マイクロフォン４０を使用する場合、制御手段１６は、５Ｖに変圧する変圧器と冷却ファン５４とが接続されるようにスイッチを制御し、マイクロフォン４０を使用しない場合、制御手段１６は、１０Ｖに変圧する変圧器と冷却ファン５４とが接続されるようにスイッチを制御する。これにより、冷却ファン５４を停止させることなく、ノイズを低減させることが可能となる。
【００７２】
なお、マイクロフォン４０を使用する場合に、動作部への電力を低減させる場合において、温度センサ６２が検出した温度が、所定温度θ２以上であった場合、動作部への電力を元に戻すように制御する。すなわち、冷却ファン５４の例では１０Ｖに変圧する変圧器と冷却ファン５４とが接続されるようにスイッチを制御することが好ましい。
【００７３】
また、動作部への電力を低減する方法は上記に限らず、動作部へ電力を加える時間を変更することも動作部への電力を低減することに含まれる。すなわち、マイクロフォン４０を使用する場合、例えば、一定時間ごとに所定時間だけ動作部へ電力を加えることで、動作部への電力を低減させてもよい。
【００７４】
さらに、ディスクドライブ５０についても、マイクロフォン４０を使用する場合、制御手段１６がディスクドライブ５０へ回転速度を低減させる指示を行うことで、同様の効果を得ることが可能となる。
【００７５】
また、本発明は、ナビゲーション装置１０あるいは携帯電話機１２を用いたハンズフリー通話に限ることなく、電力により駆動される動作部を有するとともに、マイクロフォン４０を内蔵した電子機器に広く適用することができる。例えば、ＩＰ電話の端末として利用されるノート型ＰＣのように、ＰＣ本体内に冷却ファンやＨＤＤディスクドライブ、ＣＤドライブなどともにマイクロフォンが内蔵されているような電子機器であればどのような機器であっても適用可能である。
【符号の説明】
【００７６】
１０・・・ナビゲーション装置
１２・・・携帯電話機
１４・・・電源
１６・・・制御手段
２４・・・現在位置検出手段
２６・・・地図記憶手段
２８・・・経路探索手段
３０・・・通信手段
３２・・・アンテナ
３４・・・ＤＳＰ
４０・・・マイクロフォン
４８・・・スピーカ
５０・・・ディスクドライブ
５２、５６・・・スイッチ
５４・・・冷却ファン
５８・・・入力手段
６０・・・表示手段
６２・・・温度センサ
【図１】
2011234206.tif 000003
【図２】
2011234206.tif 000004
【図３】
2011234206.tif 000005
【図４】
2011234206.tif 000006